(57)【特許請求の範囲】
【請求項１】
燃料に対する燃料添加剤の注入を制御して、燃料を燃焼装置に供給する燃料供給装置において、
前記燃料の流量を計測し、計測結果を第１の流量信号として出力する第１の流量計と、
前記燃料添加剤の流量を計測し、計測結果を第２の流量信号として出力する第２の流量計と、
前記第１の流量信号が表す前記燃料の流量から所定時間での積算値を算出して前記燃料の消費量を算出すると共に、前記第２の流量信号が表す前記燃料添加剤の流量から所定時間での積算値を算出して前記燃料添加剤の消費量を算出し、前記２つの消費量から前記燃料に対する前記燃料添加剤の注入の不適切な状態を判断する処理手段と、
を備え、
前記処理手段は、
前記算出した前記燃料の消費量に対する前記算出した前記燃料添加剤の消費量の比率である実注入率と、
前記燃料の供給量に対する前記燃料添加剤の注入量を設定する比率である設定注入率に対して、前記実注入率の許容される変動範囲を表すしきい値を反映させた値である現状設定注入率と、
を比較することにより、前記燃料に対する前記燃料添加剤の注入が不適切か否かを判断する、
ことを特徴とする燃料供給装置。
【請求項２】
前記処理手段は、
前記設定注入率をあらかじめ記憶する、
ことを特徴とする請求項１に記載の燃料供給装置。
【請求項３】
前記処理手段は、前記燃料添加剤の注入制御が不適合と判断すると、この注入制御の不適合を出力する、
ことを特徴とする請求項２に記載の燃料供給装置。
【請求項４】
前記処理手段は、前記注入制御の不適合の出力として、この注入制御の不適合に対応するための対応要領ガイダンスを表示する、
ことを特徴とする請求項３に記載の燃料供給装置。
【請求項５】
燃料に対する燃料添加剤の注入を制御して、燃料を燃焼装置に供給する燃料供給方法において、
前記燃料の流量を第１の流量計によって計測し、計測結果を第１の流量信号として出力すると共に前記燃料添加剤の流量を第２の流量計によって計測し、計測結果を第２の流量信号として出力し、
前記第１の流量信号が表す前記燃料の流量から所定時間での積算値を算出して前記燃料の消費量を算出すると共に、前記第２の流量信号が表す前記燃料添加剤の流量から所定時間での積算値を算出して前記燃料添加剤の消費量を処理手段により算出し、
前記算出した前記燃料の消費量に対する前記算出した前記燃料添加剤の消費量の比率である実注入率と、
前記燃料の供給量に対する前記燃料添加剤の注入量を設定する比率である設定注入率に対して、前記実注入率の許容される変動範囲を表すしきい値を反映させた値である現状設定注入率と、
を比較することにより、前記燃料に対する前記燃料添加剤の注入の不適切な状態を前記処理手段により判断する、
ことを特徴とする燃料供給方法。
【発明の詳細な説明】
【技術分野】
【０００１】
この発明は、燃料に燃料添加剤を注入してボイラ等の燃焼装置に供給するための燃料供給装置および燃料供給方法に関する。
【背景技術】
【０００２】
燃料添加剤が注入された燃料を燃焼する燃焼装置には、例えば火力発電所のボイラがある。燃料に燃料添加剤を注入することにより、燃焼促進に伴うＥＰ灰の減少や、ボイラの熱バランスの改善（効率向上）によるコストの低減を図っている。ＥＰ灰は、火力発電所で発生する石炭灰のうち電気集塵器で捕集された石炭灰である。
【０００３】
こうした火力発電所のボイラに燃料を供給するために、タービンに送られる主蒸気温度と、ボイラに送られる燃料量とに基づいて燃料添加剤の注入率を決定し、決定した注入率になるように添加剤の注入量を制御する装置がある（例えば、特許文献１参照。）。これにより、この装置は燃料添加剤の注入量を制御し、ボイラは燃料の燃焼を効率的に行って、火力発電所の経済的な運転を図っている。
【先行技術文献】
【特許文献】
【０００４】
【特許文献１】特開２００７−３１５６６８号公報
【発明の概要】
【発明が解決しようとする課題】
【０００５】
しかし、先に述べた添加剤の注入量を制御する装置には次の課題がある。この装置は、主蒸気温度と燃料量とに基づいて燃料添加剤の注入率を決定している。しかし、火力発電所のボイラの状態によっては、例えばボイラの性能が落ちた状態では、燃料添加剤の注入制御に不適合が生じるという課題がある。そして、燃料添加剤が注入不足となった場合、ボイラ効率の低下に伴う燃料コストの大幅増や、ＥＰ灰処分のコスト増に繋がる。逆に、燃料添加剤が過注入になると、燃焼性が増して主蒸気温度の上昇や、ボイラのストレス増加に繋がる。
【０００６】
この発明の目的は、前記の課題を解決し、燃料添加剤の注入制御が不適合である状況を確実に発見することを可能にする燃料供給装置および燃料供給方法を提供することにある。
【課題を解決するための手段】
【０００７】
前記の課題を解決するために、請求項１の発明は、燃料に対する燃料添加剤の注入を制御して、燃料を燃焼装置に供給する燃料供給装置において、前記燃料の流量を計測し、計測結果を第１の流量信号として出力する第１の流量計と、前記燃料添加剤の流量を計測し、計測結果を第２の流量信号として出力する第２の流量計と、前記第１の流量信号が表す前記燃料の流量から所定時間での積算値を算出して前記燃料の消費量を算出すると共に、前記第２の流量信号が表す前記燃料添加剤の流量から所定時間での積算値を算出して前記燃料添加剤の消費量を算出し、前記２つの消費量から前記燃料に対する前記燃料添加剤の注入の不適切な状態を判断する処理手段と、を備え、前記処理手段は、前記算出した前記燃料の消費量に対する前記算出した前記燃料添加剤の消費量の比率である実注入率と、前記燃料の供給量に対する前記燃料添加剤の注入量を設定する比率である設定注入率に対して、前記実注入率の許容される変動範囲を表すしきい値を反映させた値である現状設定注入率と、を比較することにより、前記燃料に対する前記燃料添加剤の注入が不適切か否かを判断する、ことを特徴とする燃料供給装置である。
【０００８】
請求項１の発明は、燃料に対する燃料添加剤の注入を制御して、燃料を燃焼装置に供給する燃料供給装置である。燃料供給装置の第１の流量計は、燃料の流量を計測し、計測結果を第１の流量信号として出力する。また、第２の流量計は、燃料添加剤の流量を計測し、計測結果を第２の流量信号として出力する。そして、処理手段は、第１の流量信号が表す燃料の流量から所定時間での積算値を算出して燃料の消費量を算出すると共に、第２の流量信号が表す燃料添加剤の流量から所定時間での積算値を算出して燃料添加剤の消費量を算出する。この後、処理手段は、２つの消費量から燃料に対する燃料添加剤の注入の不適切な状態を判断する。
【０００９】
請求項２の発明は、請求項１に記載の燃料供給装置において、前記処理手段は、前記設定注入率をあらかじめ記憶する、ことを特徴とする。
【００１０】
請求項３の発明は、請求項２に記載の燃料供給装置において、前記処理手段は、前記燃料添加剤の注入制御が不適合と判断すると、この注入制御の不適合を出力する、ことを特徴とする。
【００１１】
請求項４の発明は、請求項３に記載の燃料供給装置において、前記処理手段は、前記注入制御の不適合の出力として、この注入制御の不適合に対応するための対応要領ガイダンスを表示する、ことを特徴とする。
【００１２】
請求項５の発明は、燃料に対する燃料添加剤の注入を制御して、燃料を燃焼装置に供給する燃料供給方法において、前記燃料の流量を第１の流量計によって計測し、計測結果を第１の流量信号として出力すると共に前記燃料添加剤の流量を第２の流量計によって計測し、計測結果を第２の流量信号として出力し、前記第１の流量信号が表す前記燃料の流量から所定時間での積算値を算出して前記燃料の消費量を算出すると共に、前記第２の流量信号が表す前記燃料添加剤の流量から所定時間での積算値を算出して前記燃料添加剤の消費量を処理手段により算出し、前記算出した前記燃料の消費量に対する前記算出した前記燃料添加剤の消費量の比率である実注入率と、前記燃料の供給量に対する前記燃料添加剤の注入量を設定する比率である設定注入率に対して、前記実注入率の許容される変動範囲を表すしきい値を反映させた値である現状設定注入率と、を比較することにより、前記燃料に対する前記燃料添加剤の注入の不適切な状態を前記処理手段により判断する、ことを特徴とする燃料供給方法である。
【発明の効果】
【００１３】
請求項１および請求項５の発明によれば、燃料の消費量と燃料添加剤の消費量とを所定時間毎に算出して燃料添加剤の注入の状態を判断するので、燃料に対する燃料添加剤の注入が不適切な状態を早期にかつ確実に調べることを可能にする。
【００１４】
請求項２の発明によれば、設定注入率と燃料添加剤注入率とを比較し、燃料添加剤の注入制御が不適合かどうかを所定時間毎に判断するので、燃料添加剤の注入制御が不適合であるかを早期かつ確実に発見することを可能にする。
【００１５】
請求項３の発明によれば、燃料添加剤の注入制御が不適合と判断すると、この注入制御の不適合を出力するので、注入制御の不適合を確実に知らせることを可能にする。
【００１６】
請求項４の発明によれば、燃料添加剤の注入制御が不適合の場合には、注入制御の不適合に対応するための対応要領ガイダンスを表示するので、担当者による迅速な対応を可能にする。
【図面の簡単な説明】
【００１７】
【図１】この発明の一実施の形態による燃料供給装置の一例を示す構成図である。
【図２】ユニット計算機の一例を示す構成図である。
【図３】判定処理の一例を示すフローチャートである。
【図４】流量データの一例を示す図である。
【図５】消費量データの一例を示す図である。
【図６】注入率演算データの一例を示す図である。
【発明を実施するための形態】
【００１８】
次に、この発明の実施の形態について、図面を用いて詳しく説明する。この実施の形態による燃料供給装置を図１に示す。この燃料供給装置は、第１の系統１と第２の系統２とユニット計算機３とを備えている。
【００１９】
第１の系統１は燃料を発電用のボイラ（図示を省略）に供給する。このために、第１の系統１は、サービスタンク１ａと、ストレーナ１ｂと、噴燃ポンプ１ｃと、ヒータ１ｄと、流量調節弁１ｅと、流量計１ｆと、燃料遮断弁１ｇ、１ｈとを備えている。
【００２０】
サービスタンク１ａは、上流側に設置されている貯蔵タンク（図示を省略）からの原油等の燃料を一時的に蓄えて、発電用のボイラに燃料を供給する。このとき、サービスタンク１ａの燃料は、サービスタンク１ａの下流側に設置されている噴燃ポンプ１ｃによって、ボイラに送られる。
【００２１】
ストレーナ１ｂは、サービスタンク１ａと噴燃ポンプ１ｃとの間の、燃料の流路に設置されている。ストレーナ１ｂは、ボイラに供給される燃料から異物を除去するなどの機能を持つ。
【００２２】
噴燃ポンプ１ｃは、ストレーナ１ｂの下流側の流路に設置されている。噴燃ポンプ１ｃは、ストレーナ１ｂを経て来る、サービスタンク１ａからの燃料をボイラに供給する。このとき、噴燃ポンプ１ｃは、燃料を加圧してボイラに供給する。噴燃ポンプ１ｃは、燃料を加圧することにより、燃料をボイラに噴霧する。
【００２３】
ヒータ１ｄは、噴燃ポンプ１ｃの下流側の流路に設置されている。ヒータ１ｄは、ボイラに供給される燃料の予熱をする。
【００２４】
流量調節弁１ｅは、ヒータ１ｄの下流側の流路に設置されている。流量調節弁１ｅは、ボイラに供給される燃料の量、つまり流量調節弁１ｅを通過する燃料の流量を制御する。このために、流量調節弁１ｅは、例えば、燃料の流路に対して交差する方向に動く弁部分（図示を省略）を備えている。流量調節弁１ｅは、この弁部分の変位量に応じて、燃料の流量を制御する。
【００２５】
流量計１ｆは、流量調節弁１ｅの下流側の流路に設置されている。流量計１ｆは、ボイラに供給される燃料の流量を所定時間毎に計測する。そして、流量計１ｆは、計測結果である燃料の流量信号をユニット計算機３に送る。この流量信号は、例えば「燃料流量○○キロリットル毎分（ｋＬ／ｍ）」のような計測結果を表す。
【００２６】
流量計１ｆの下流側の流路には燃料遮断弁１ｇ、１ｈが設置されている。燃料遮断弁１ｇ、１ｈは、流量計１ｆからの分岐された燃料を各ボイラに供給する。燃料遮断弁１ｇ、１ｈは、燃料の供給を必要に応じて止めるためのものである。燃料遮断弁１ｇ、１ｈは通常開状態で用いられる。
【００２７】
第２の系統２は燃料添加剤を燃料に添加する。このために、第２の系統２は、燃料添加剤タンク２ａと、ストレーナ２ｂと、注入ポンプ２ｃと、流量計２ｄと、仕切弁２ｅとを備えている。
【００２８】
燃料添加剤タンク２ａは燃料添加剤を蓄えている。このとき、燃料添加剤タンク２ａの燃料添加剤は、燃料添加剤タンク２ａの下流側に設置されている注入ポンプ２ｃによって、第１の系統１に送られる。
【００２９】
ストレーナ２ｂは、燃料添加剤タンク２ａと注入ポンプ２ｃとの間の、燃料添加剤の流路に設置されている。ストレーナ２ｂは、第１の系統１に供給される燃料添加剤から異物を除去するなどの機能を持つ。
【００３０】
注入ポンプ２ｃは、ストレーナ２ｂの下流側の流路に設置されている。注入ポンプ２ｃは、ストレーナ２ｂを経て来る、燃料添加剤タンク２ａからの燃料添加剤を、第１の系統１を流れる燃料に注入する。注入ポンプ２ｃは、燃料添加剤の注入に際して、ストレーナ２ｂを経て来た燃料添加剤を引き込んで送り出すための一連の動作（ポンプストローク）によって、一定量の燃料添加剤を第１の系統１に送る。つまり、注入ポンプ２ｃのポンプストローク数を上げると、燃料添加剤の供給量が増え、逆にポンプストローク数を下げると、燃料添加剤の供給量が減少する。こうしたポンプストローク数はあらかじめ注入ポンプ２ｃに設定されている。この実施の形態では、最大のストローク数を１００パーセントとして、注入ポンプ２ｃに対して設定が人手で行われている。これにより、燃料添加剤の注入制御が行われる。
【００３１】
流量計２ｄは、注入ポンプ２ｃの下流側の流路に設置されている。流量計２ｄは、この実施の形態では、新たに設置されたものである。流量計２ｄは、第１の系統１の燃料に注入される燃料添加剤の流量を、所定時間毎に計測する。そして、流量計２ｄは、計測結果である燃料添加剤の流量信号をユニット計算機３に送る。この流量信号は、例えば「燃料添加剤流量○○リットル毎分（Ｌ／ｍ）」のような計測結果を表す。
【００３２】
仕切弁２ｅは、流量計２ｄの下流側の流路に設置されている。仕切弁２ｅは、燃料添加剤の供給を必要に応じて止めるためのものである。仕切弁２ｅは通常開状態で用いられる。
【００３３】
ユニット計算機３は、第１の系統１の流量計１ｆと第２の系統２の流量計２ｄとに電気的に接続されている。ユニット計算機３は、図２に示すように、接続部３ａと、入力部３ｂと、時計部３ｃと、処理部３ｄと、記憶部３ｅと、表示制御部３ｆと、出力部３ｇとを備えている。
【００３４】
接続部３ａは、第１の系統１の流量計１ｆからの、燃料の流量信号（第１の流量信号）と、第２の系統２の流量計２ｄからの、燃料添加剤の流量信号（第２の流量信号）とを入力する。そして、接続部３ａは、これらの流量信号のレベル変換等の処理を行い、ユニット計算機３による処理が可能な信号に変換する。接続部３ａは、処理を行った流量信号を処理部３ｄに送る。
【００３５】
入力部３ｂは、キーボードのような、担当者等の手入力が可能な入力装置である。入力部３ｂは、入力された入力信号を処理部３ｄに送る。この入力信号には、例えば燃料添加剤の設定注入率がある。設定注入率は、燃料の供給量に対する燃料添加剤の注入量を設定する比率である。また、入力信号にはしきい値がある。しきい値は、設定注入率に対して設けられた許容範囲を表す値である。
【００３６】
時計部３ｃは、時刻を計測する時計の機能を持つ。時計部３ｃは、計測した時刻を表す時刻信号を処理部３ｄに送る。
【００３７】
表示制御部３ｆは、プロジェクタのような表示装置３Ａに接続される。表示制御部３ｆは、処理部３ｄの制御によって、画像を表示するための画像信号を生成し、生成した画像信号を表示装置３Ａに送る。画像信号には、後述のガイダンスデータがある。表示装置３Ａは、画像信号により、例えばスクリーン画面に画像を表示する。
【００３８】
出力部３ｇは、処理部３ｄからの制御によって、例えば警報のための警報音を出力する。
【００３９】
記憶部３ｅは、ユニット計算機３に必要とする各種の処理手順をあらかじめ記憶している。記憶部３ｅが記憶している処理手順には、図３に示す判定処理がある。この判定処理については後述する。
【００４０】
また、記憶部３ｅは、各種のデータを記憶している。記憶部３ｅが記憶しているデータには流量データがある。この流量データの一例を図４に示す。この流量データには、処理部３ｄが接続部３ａから分単位で受け取った燃料の流量と、燃料添加剤の流量とが各時刻に応じて記憶されている。なお、燃料の流量はキロリットル毎分（ｋＬ／ｍ）で表され、燃料添加剤はリットル毎分（Ｌ／ｍ）で表されている。
【００４１】
記憶部３ｅが記憶しているデータには消費量データがある。この消費量データの一例を図５に示す。この流量データには、一日の各時間帯での燃料の消費量と、燃料添加剤の消費量とが記憶されている。なお、燃料の消費量はキロリットル毎時（ｋＬ／ｈ）で表され、燃料添加剤の消費量はリットル毎時（Ｌ／ｈ）で表されている。
【００４２】
記憶部３ｅが記憶しているデータには注入率演算データがある。この注入率演算データの一例を図６に示す。この注入率演算データには、燃料に対する燃料添加剤の注入量の比率を設定する設定注入率と、実際に燃料添加剤が注入された比率を示す実注入率とが、一日の各時間帯に応じて記憶されている。また、注入率演算データには、現状設定注入率が記憶されている。現状設定注入率は、設定注入率に対して、しきい値を反映させた値であり、実注入率の許容される変動範囲を表している。
【００４３】
記憶部３ｅが記憶しているデータには、対応要領ガイダンスを表すガイダンスデータがある。対応要領ガイダンスは、燃料に対して燃料添加剤が注入不足の状態である場合や、燃料添加剤が過注入の状態である場合に、担当者がこれらの状態に対応するための手引きを表している。
【００４４】
処理部３ｄは、記憶部１１Ｂに記憶されている処理手順に従って、ユニット計算機３としての各種の処理を行う。これらの処理に加えて、処理部３ｄは、ボイラに対する燃料供給のための次の各処理を行う。
【００４５】
処理部３ｄは、入力部３ｂから入力信号を受け取り、この入力信号が設定注入率やしきい値を表す場合に、入力処理を行う。つまり、入力部３ｂから設定注入率を受け取ると、処理部３ｄは、時計部３ｃからの時刻信号により、設定注入率を受け取った時刻つまり現在の時刻を調べる。この後、処理部３ｄは、注入率演算データ（図６）を参照し、先に調べた時刻を含む時間帯に対応する設定注入率を、入力部３ｂから受け取った設定注入率に変更する。
【００４６】
設定注入率は、先に述べたように、燃料の供給量に対する燃料添加剤の注入量を設定する比率である。この実施の形態では、設定注入率は「１／○○○○」のように比率として表されている。例えば、設定注入率を「１／１２３４」とした場合には、燃料添加剤の「１」に対して燃料が「１２３４」の比率になるような設定である。
【００４７】
また、処理部３ｄは、しきい値を受け取ると同じようにして、時計部３ｃからの時刻信号により現在の時刻を調べる。この後、処理部３ｄは、注入率演算データ（図６）を参照し、先に調べた時刻を含む時間帯に対応する設定注入率つまり現在の設定注入率に、入力部３ｂから受け取ったしきい値を反映して現状設定注入率を生成する。そして、この現状設定注入率で注入率演算データを変更する。現状設定注入率は、先に述べたように、実注入率の許容される変動範囲を表している。
【００４８】
しきい値は、この実施の形態では「○○○○」のような値で示されている。例えば、しきい値を「１０００」とした場合に、設定注入率が「１／１２３４」であると、処理部３ｄは、
現状設定注入率＝１／（１２３４±１０００）
として、しきい値を設定注入率に反映させて、現状設定注入率を算出する。そして、算出した現状設定注入率を注入率演算データ（図６）に記録し、注入率演算データを変更する。
【００４９】
処理部３ｄは、流量計１ｆからの、燃料の流量信号や、流量計２ｄからの、燃料添加剤の流量信号を受け取ると、これらの信号から燃料添加剤の注入量が不適切かどうかを判定するための判定処理を行う。処理部３ｄは、図３に示す判定処理を開始すると、受け取った各流量信号を記憶部３ｅに記録していく（ステップＳ１）。ステップＳＳ１により、処理部３ｄは、記憶部３ｅに記憶している流量データ（図４）の燃料の流量と、燃料添加剤の流量とを更新する。
【００５０】
ステップＳ１の後、処理部３ｄは、時計部３ｃからの時刻信号が表す時刻が所定時刻、例えばこの実施の形態では正時であるかどうかを判断する（ステップＳ２）。ステップＳ２で時刻が正時ではないと判断すると、処理部３ｄは判定処理を終了する。
【００５１】
また、ステップＳ２で時刻が正時であると判断すると、処理部３ｄは、記憶部３ｅに記憶している流量データ（図４）から、前回の正時の次の時刻から今回の正時までの間に、例えば前回の正時が「００時００分」であれば、時刻「００時０１分」から時刻「０１時００分」の間に記憶している各流量信号を加算して、単位時間に消費される燃料の量（以下、単に「燃料消費量」と記す）と、同じく単位時間に消費される燃料添加剤の量（以下、単に「燃料添加剤消費量」と記す）を算出する（ステップＳ３）。この実施の形態では、単位時間を１時間にしている。ステップＳ３により、処理部３ｄは記憶部３ｅに記憶している消費量データ（図５）を更新する。
【００５２】
ステップＳ３が終了すると、処理部３ｄは、記憶部３ｅに記憶している消費量データ（図５）を利用して、直近の時間帯、例えば現在の時刻が「０１時１０分」であれば、「００時００分−０１時００分」の時間帯での実注入率を算出する（ステップＳ４）。ステップＳ４で、処理部３ｄは次のようにして実注入率を算出する。例えば、
実注入率＝１／Ａ
とする。ここで、値Ａは、燃料消費量と燃料添加剤消費量とを基に算出され、
Ａ＝Ｂ／（Ｃ／１０００）
Ｂ：燃料消費量（ｋＬ／ｈ：キロリットル毎時）
Ｃ：燃料添加剤消費量（Ｌ／ｈ：リットル毎時）
である。値Ａを用いた実注入率は燃料添加剤と燃料との比率を示す。例えば、値Ａが、
Ａ＝２３４５
であると、
実注入率＝１／Ａ＝１／２３４５
となり、燃料添加剤の「１」に対して燃料「２３４５」の比率で燃料添加剤が注入される。
【００５３】
こうしたステップＳ４では、処理部３ｄは算出した実注入率を注入率演算データ（図６）に記録して、注入率演算データを更新する。
【００５４】
ステップＳ４が終了すると、処理部３ｄは、算出した実注入率、つまり注入率演算データ（図６）に記録されている直近の時間帯の実注入率と、この実注入率に対応する設定注入率とを比較し、設定注入率と実注入率との差異を調べる（ステップＳ５）。
【００５５】
この後、処理部３ｄは、注入率演算データ（図６）を参照し、ステップＳ４で算出対象となった実注入率に対応する現状設定注入率を調べて、ステップＳ５で算出した差異から、燃料添加剤の注入制御が不適合であるかを判断する（ステップＳ６）。ステップＳ６では、設定注入率と実注入率との差異が現状設定注入率で設定された許容範囲にあるかどうかによって、燃料添加剤の注入制御が不適合であるかを判断する。処理部３ｄは、ステップＳ６で注入制御が不適合でないと判断すると、判定処理を終了する。
【００５６】
ステップＳ６で注入制御が不適合であると判断すると、処理部３ｄはこの燃料添加剤の注入不足であるかを判断する（ステップＳ７）。ステップＳ７では、例えば、注入率演算データの中の各値が、
設定注入率＝１／１２３４
であり、この設定注入率に対して、しきい値を「１０００」とすると、
現状設定注入率＝１／（１２３４±１０００）
になる。さらに、
実注入率＝１／２３４５
であると、処理部３ｄは、現状設定注入率の１／（１２３４±１０００）と、実注入率の１／２３４５とを比較する。そして、
実注入率＝１／２３４５＝１／（１２３４＋１１１１）
であるので、処理部３ｄは、燃料添加剤の注入不足と判断する。
【００５７】
ステップＳ７で燃料添加剤の注入不足と判断すると、処理部３ｄは、注入不足用の対応要領ガイダンスを出力する（ステップＳ８）。ステップＳ８で、処理部３ｄは、注入不足用のガイダンスデータを記憶部３ｅから読み出して、画像信号として表示制御部３ｆに出力する。また、ステップＳ８で、処理部３ｄは、出力部３ｇを制御して、燃料添加剤の注入不足を表す警報音を出力する。
【００５８】
この注入不足用のガイダンスは、先に述べたように、燃料に対して燃料添加剤が注入不足の状態である場合、この状態に担当者が対応するための手引きを表している。例えば、燃料に対して燃料添加剤が注入不足の状態である場合のために、次の項目ａ１と項目ａ２とを記述した対応要領ガイダンスがある。
ａ１．ユニット停止後、燃料配管圧力が降下していることを確認し、添加剤注入ポンプ「手動・起動」する。これらの処置は、配管閉塞や逆止弁引っ掛かりを解消することを目的とする。
ａ２．項目ａ１の処置でも解消されない場合は、添加剤注入ポンプ「手動・起動」後に、ポンプ出口および燃料配管直近の圧力を確認しながら、ポンプストローク「手動・増」操作を行う。これらの処置は、配管閉塞や逆止弁引っ掛かりを解消することを目的とする。
【００５９】
ステップＳ８で、処理部３ｄは、こうした注入不足用の対応要領ガイダンスを表すガイダンスデータを表示制御部３ｆに出力する。ステップＳ８が終了すると、処理部３ｄは判定処理を終了する。
【００６０】
ところで、処理部３ｄは、ステップＳ７で燃料添加剤の注入不足ではないと判断すると、過注入用の対応要領ガイダンスを出力する（ステップＳ９）。ステップＳ９で、処理部３ｄは、過注入用のガイダンスデータを記憶部３ｅから読み出して、画像信号として表示制御部３ｆに出力する。また、ステップＳ９で、処理部３ｄは、出力部３ｇを制御して、燃料添加剤の過注入を表す警報音を出力する。
【００６１】
この過注入用のガイダンスは、先に述べたように、燃料に対して燃料添加剤が過注入の状態である場合、この状態に担当者が対応するための手引きを表している。例えば、燃料に対して燃料添加剤が注入不足の状態である場合のために、次の項目ｂ１と項目ｂ２とを記述した対応要領ガイダンスがある。
ｂ１．ポンプストロークが現状の注入率設定となっているか確認する。この処置は、設定以上のストロークとなっていた場合は過注入状態となっているため、減操作するためのものである。
ｂ２．項目ｂ１の処置でも解消されない場合は、添加剤注入ポンプを「手動・停止」し、点検依頼する。
【００６２】
ステップＳ９で、処理部３ｄは、こうした過注入用の対応要領ガイダンスを表すガイダンスデータを表示制御部３ｆに出力する。ステップＳ９が終了すると、処理部３ｄは判定処理を終了する。
【００６３】
以上がこの実施の形態による燃料供給装置の構成である。次の、この燃料供給装置の作用である燃料供給方法について説明する。
【００６４】
燃料供給装置の第１の系統１がボイラに供給する燃料に対して、第２の系統２が燃料添加剤を注入している。また、燃料供給装置のユニット計算機３は、
ｃ１．燃料の流量と燃料添加剤の流量とが記録されている流量データ（図４）
ｃ２．各時間帯での燃料の消費量と燃料添加剤の消費量とが記録されている消費量データ（図５）
ｃ３．燃料に対する燃料添加剤の注入量の比率を設定する設定注入率と、実際に燃料添加剤が注入された比率を示す実注入率と、実注入率の許容される変動範囲を表す現状設定注入率とが各時間帯に応じて記録されている注入率演算データ（図６）
ｃ４．注入不足用のガイダンスデータ
ｃ５．過注入用のガイダンスデータ
を記憶部３ｅにあらかじめ記憶している。
【００６５】
こうした状態の燃料供給装置を管理して燃料供給に従事する担当者は、必要に応じてユニット計算機３の入力部３ｂを操作し、設定注入率やしきい値を入力する。入力部３ｂは、入力された設定注入率やしきい値を示す入力信号を処理部３ｄに送る。
【００６６】
ユニット計算機３の処理部３ｄは、入力信号を受け取ると、入力処理を行う。つまり、ユニット計算機３の入力部３ｂから設定注入率を受け取ると、処理部３ｄは、注入率演算データ（図６）を参照し、ユニット計算機３の時計部３ｃにより調べた時刻を含む時間帯に対応する設定注入率を、入力部３ｂから受け取った設定注入率に変更する。
【００６７】
また、処理部３ｄは、しきい値を受け取ると、注入率演算データ（図６）を参照し、時計部３ｃにより調べた時刻を含む時間帯に対応する設定注入率に、入力部３ｂから受け取ったしきい値を反映して現状設定注入率を生成し、この現状設定注入率で注入率演算データを変更する。
【００６８】
一方、処理部３ｄは、流量計１ｆからの、燃料の流量信号や、流量計２ｄからの、燃料添加剤の流量信号を定期的に受け取っている。処理部３ｄは、これらの信号を受け取ると、判定処理を行う。この判定処理により、処理部３ｄは、燃料添加剤の注入不足であると判断すると、注入不足用の対応要領ガイダンスを表すガイダンスデータを表示制御部３ｆに出力する。これにより、表示制御部３ｆは、燃料添加剤の注入不足に対応するための対応要領ガイダンスを、表示装置３Ａのスクリーン画面に表示する。同時に、処理部３ｄは、出力部３ｇを制御して、燃料添加剤の注入不足を知らせるための警報音を出力する。
【００６９】
また、処理部３ｄは、判定処理により、燃料添加剤の過注入であると判断すると、過注入用の対応要領ガイダンスを表すガイダンスデータを表示制御部３ｆに出力する。これにより、表示制御部３ｆは、燃料添加剤の過注入に対応するための対応要領ガイダンスを、表示装置３Ａのスクリーン画面に表示する。同時に、処理部３ｄは、出力部３ｇを制御して、燃料添加剤の過注入を知らせるための警報音を出力する。
【００７０】
こうして、この実施の形態よれば、正時毎に燃料添加剤の注入不足や過注入を調べ、注入制御に不適合が生じた場合、つまり燃料に対する燃料添加剤の注入が不適切である場合には、こうした状態に対応するための対応要領ガイダンスを表示し、また警報音を出力するので、次の効果を達成することができる。
ｄ１．燃料添加剤の注入制御不適合の早期発見が可能となり、注入不足となった場合に、燃料コストの大幅増やＥＰ灰処分コスト増に繋がるリスク（損益）を回避することが出来る。
ｄ２．燃料添加剤の注入制御不適合の早期発見が可能となり、過注入となった場合の主蒸気温度上昇防止が図れる。
ｄ３．ボイラに対するストレスを回避することができる。
【００７１】
以上、この発明の実施の形態を詳述してきたが、具体的な構成はこの実施の形態に限られるものではなく、この発明の要旨を逸脱しない範囲の設計の変更等があっても、この発明に含まれる。例えば、処理部３ｄが行う判定処理のステップＳ２では、所定時刻を正時としたが、時刻が「２時３０分」のような区切りであってもよい。
【符号の説明】
【００７２】
１  第１の系統
１ａ  サービスタンク
１ｂ  ストレーナ
１ｃ  噴燃ポンプ
１ｄ  ヒータ
１ｅ  流量調節弁
１ｆ  流量計（第１の流量計）
１ｇ、１ｈ  燃料遮断弁
２  第２の系統
２ａ  燃料添加剤タンク
２ｂ  ストレーナ
２ｃ  注入ポンプ
２ｄ  流量計（第２の流量計）
２ｅ  仕切弁
３  ユニット計算機（処理手段）
３ａ  接続部
３ｂ  入力部
３ｃ  時計部
３ｄ  処理部
３ｅ  記憶部
３ｆ  表示制御部
３ｇ  出力部
【図１】
0006610156.tif 000002
【図２】
0006610156.tif 000003
【図３】
0006610156.tif 000004
【図４】
0006610156.tif 000005
【図５】
0006610156.tif 000006
【図６】
0006610156.tif 000007